(57)【特許請求の範囲】
【請求項１】
オンスクリーンキーボードを画面に表示するステップと、
複数個のアプリケーションを画面に表示するステップと、
前記オンスクリーンキーボードに対するユーザの操作に基づいて、前記複数個のアプリケーションの中から前記オンスクリーンキーボードの入力対象となるアプリケーションを選択するステップと
を含み、
前記選択するステップは、
前記複数個のアプリケーションの中から、前記オンスクリーンキーボードから最も近い位置に表示されたアプリケーションを、前記オンスクリーンキーボードの入力対象になるアプリケーションとして選択することを特徴とするユーザインターフェース提供方法。
【請求項２】
前記選択されたアプリケーションが前記オンスクリーンキーボードの入力対象であることを示すインジケータ（Ｉｎｄｉｃａｔｏｒ）を画面に表示するステップを更に含むことを特徴とする請求項１に記載のユーザインターフェース提供方法。
【請求項３】
前記表示ステップは、
前記選択されたアプリケーションと前記オンスクリーンキーボードとを相互に接続する線形のインジケータを表示することを特徴とする請求項２に記載のユーザインターフェース提供方法。
【請求項４】
前記インジケータをタッチする操作が入力されると、前記選択されたアプリケーションと前記オンスクリーンキーボードとの接続状態を終了する命令を入力されるための終了ボタンを表示するステップを更に含むことを特徴とする請求項２に記載のユーザインターフェース提供方法。
【請求項５】
前記選択ステップは、
前記オンスクリーンキーボードに対して第１操作が入力されると、前記オンスクリーンキーボードから最も近い位置に表示されたアプリケーションを、前記オンスクリーンキーボードの入力対象となるアプリケーションとして選択することを特徴とする請求項１に記載のユーザインターフェース提供方法。
【請求項６】
前記第１操作は、
前記オンスクリーンキーボードに含まれた自動接続ボタンをタッチする操作であることを特徴とする請求項５に記載のユーザインターフェース提供方法。
【請求項７】
前記選択ステップは、
前記オンスクリーンキーボードに対して第２操作が入力されると、前記第２操作が入力された後に入力されるユーザの第３操作に従って、前記オンスクリーンキーボードの入力対象となるアプリケーションを選択することを特徴とする請求項１に記載のユーザインターフェース提供方法。
【請求項８】
前記第２操作は、
前記オンスクリーンキーボードに含まれた手動接続ボタンをタッチする操作であることを特徴とする請求項７に記載のユーザインターフェース提供方法。
【請求項９】
前記第３操作は、
前記オンスクリーンキーボードに含まれた特定アイコンを特定アプリケーションまでにドラッグ・アンド・ドロップする操作であり、
前記選択ステップは、
前記ドラッグ・アンド・ドロップが終了した地点に位置した前記特定アプリケーションをオンスクリーンキーボードの入力対象となるアプリケーションとして選択することを特徴とする請求項７に記載のユーザインターフェース提供方法。
【請求項１０】
前記第３操作は、
前記オンスクリーンキーボードの表示された領域と特定アプリケーションの表示された領域とを同時にタッチする操作であり、
前記選択ステップは、
前記同時にタッチされた特定アプリケーションをオンスクリーンキーボードの入力対象となるアプリケーションとして選択することを特徴とする請求項７に記載のユーザインターフェース提供方法。
【請求項１１】
前記選択されたアプリケーションの表示方向が前記オンスクリーンキーボードの表示方向と異なる場合、前記選択されたアプリケーションの表示方向が前記オンスクリーンキーボードの表示方向と一致するように、前記オンスクリーンキーボード又は前記選択されたアプリケーションの表示方向を変更するステップを更に含むことを特徴とする請求項１に記載のユーザインターフェース提供方法。
【請求項１２】
ユーザのタッチを入力され、オンスクリーンキーボード及び複数個のアプリケーションを表示するタッチスクリーンと、
前記タッチスクリーンを介して入力された前記オンスクリーンキーボードに対するユーザの操作に基づいて、前記複数個のアプリケーションの中から、前記オンスクリーンキーボードから最も近い位置に表示されたアプリケーションを、前記オンスクリーンキーボードの入力対象となるアプリケーションとして選択する制御部と
を含むディスプレイ装置。
【請求項１３】
前記制御部は、
前記選択されたアプリケーションが前記オンスクリーンキーボードの入力対象であることを示すインジケータ（Ｉｎｄｉｃａｔｏｒ）が前記タッチスクリーンに表示されるように制御することを特徴とする請求項１２に記載のディスプレイ装置。
【請求項１４】
前記制御部は、
前記選択されたアプリケーションと前記オンスクリーンキーボードとを相互に接続する線形のインジケータを表示することを特徴とする請求項１３に記載のディスプレイ装置。
【請求項１５】
前記制御部は、
前記タッチスクリーンを介して前記インジケータをタッチする操作が入力されると、前記選択されたアプリケーションと前記オンスクリーンキーボードとの接続状態を終了する命令を入力されるための終了ボタンが表示されるように制御することを特徴とする請求項１３に記載のディスプレイ装置。
【発明の詳細な説明】
【技術分野】
【０００１】
本発明は、ＵＩ提供方法及びそれを適用したディスプレイ装置に関し、より詳細には、タッチスクリーンで用いられるオンスクリーンキーボードをアプリケーションで使用するためのＵＩ提供方法及びそれを適用したディスプレイ装置に関する。
【背景技術】
【０００２】
最近、ディスプレイ装置のユーザインターフェース装置としてタッチスクリーンが適用されるケースが増えている。タッチスクリーンはキーボードを使わずに、画面（スクリーン）に現れた文字や特定位置に人の指や物が触れると、その位置を把握して保存されたソフトウェアにより特定処理ができるように、画面から直接入力資料を受けられるようにした画面のことをいう。タッチスクリーンはユーザが簡単かつ直観的に操作できるため、この頃、ユーザインターフェース装置として脚光を浴びている。
【０００３】
オンスクリーンキーボードは、タッチスクリーン上に提供されるキーボードのことを意味する。即ち、オンスクリーンキーボードはタッチスクリーンにキーボードの映像が表示され、タッチスクリーンを介してキーボードと同様の入力が行なわれる。従って、オンスクリーンキーボードを用いることで、ユーザは別途のキーボードがなくてもタッチスクリーンを通じてキーボードを利用できるようになる。
【０００４】
しかしながら、複数個のアプリケーションが同時に実行される場合、ユーザはオンスクリーンキーボードがどのアプリケーションで使われているか、分かりにくい場合が生じる。従って、ユーザがオンスクリーンキーボードをより容易に使用できるようにする方法が求められる。
【発明の概要】
【発明が解決しようとする課題】
【０００５】
そこで、本発明は、上記問題に鑑みてなされたものであり、本発明の目的とするところは、オンスクリーンキーボードに対するユーザの操作に基づいて、複数個のアプリケーションの中からオンスクリーンキーボードの入力対象となるアプリケーションを選択するＵＩ提供方法及びそれを適用したディスプレイ装置を提供することにある。
【課題を解決するための手段】
【０００６】
前記目的を達成するための本発明の一実施形態に係るＵＩ提供方法は、オンスクリーンキーボードを画面に表示するステップと、複数個のアプリケーションを画面に表示するステップと、前記オンスクリーンキーボードに対するユーザの操作に基づいて、前記複数個のアプリケーションの中から前記オンスクリーンキーボードの入力対象となるアプリケーションを選択するステップとを含む。
【０００７】
そして、前記選択されたアプリケーションが前記オンスクリーンキーボードの入力対象であることを示すインジケータ（Ｉｎｄｉｃａｔｏｒ）を画面に表示するステップを更に含む。
【０００８】
なお、前記表示ステップは、前記選択されたアプリケーションと前記オンスクリーンキーボードとを相互に接続する線形のインジケータを表示してよい。
【０００９】
そして、前記インジケータをタッチする操作が入力されると、前記選択されたアプリケーションと前記オンスクリーンキーボードとの接続状態を終了する命令を入力されるための終了ボタンを表示するステップを更に含んでよい。
【００１０】
なお、前記選択ステップは、前記オンスクリーンキーボードに対して第１操作が入力されると、前記オンスクリーンキーボードから最も近い位置に表示されたアプリケーションを、前記オンスクリーンキーボードの入力対象となるアプリケーションとして選択してよい。
【００１１】
そして、前記第１操作は、前記オンスクリーンキーボードに含まれた自動接続ボタンをタッチする操作であってよい。
【００１２】
なお、前記選択ステップは、前記オンスクリーンキーボードに対して第２操作が入力されると、前記第２操作が入力された後に入力されるユーザの第３操作に従って、前記オンスクリーンキーボードの入力対象となるアプリケーションを選択してよい。
【００１３】
そして、前記第２操作は、前記オンスクリーンキーボードに含まれた手動接続ボタンをタッチする操作であってよい。
【００１４】
なお、前記第３操作は、前記オンスクリーンキーボードに含まれた特定アイコンを特定アプリケーションまでにドラッグ・アンド・ドロップする操作であり、前記選択ステップは、前記ドラッグ・アンド・ドロップが終了した地点に位置した前記特定アプリケーションをオンスクリーンキーボードの入力対象となるアプリケーションとして選択してよい。
【００１５】
そして、前記第３操作は、前記オンスクリーンキーボードの表示された領域と特定アプリケーションの表示された領域とを同時にタッチする操作であり、前記選択ステップは、前記同時にタッチされた特定アプリケーションをオンスクリーンキーボードの入力対象となるアプリケーションとして選択してよい。
【００１６】
なお、前記選択されたアプリケーションの表示方向が前記オンスクリーンキーボードの表示方向と異なる場合、前記選択されたアプリケーションの表示方向が前記オンスクリーンキーボードの表示方向と一致するように、前記オンスクリーンキーボード又は前記選択されたアプリケーションの表示方向を変更するステップを更に含んでよい。
【００１７】
一方、本発明の一実施形態に係るディスプレイ装置は、ユーザのタッチを入力され、オンスクリーンキーボード及び複数個のアプリケーションを表示するタッチスクリーンと、前記タッチスクリーンを介して入力された前記オンスクリーンキーボードに対するユーザの操作に基づいて、前記複数個のアプリケーションの中から前記オンスクリーンキーボードの入力対象となるアプリケーションを選択する制御部とを含む。
【００１８】
そして、前記制御部は、前記選択されたアプリケーションが前記オンスクリーンキーボードの入力対象であることを示すインジケータ（Ｉｎｄｉｃａｔｏｒ）が前記タッチスクリーンに表示されるように制御してよい。
【００１９】
なお、前記制御部は、前記選択されたアプリケーションと前記オンスクリーンキーボードとを相互に接続する線形のインジケータを表示してよい。
【００２０】
そして、前記制御部は、前記タッチスクリーンを介して前記インジケータをタッチする操作が入力されると、前記選択されたアプリケーションと前記オンスクリーンキーボードとの接続状態を終了する命令を入力されるための終了ボタンが表示されるように制御してよい。
【００２１】
なお、前記制御部は、前記オンスクリーンキーボードに対して第１操作が入力されると、前記オンスクリーンキーボードから最も近い位置に表示されたアプリケーションを、前記オンスクリーンキーボードの入力対象となるアプリケーションとして選択してよい。
【００２２】
そして、前記第１操作は、前記オンスクリーンキーボードに含まれた自動接続ボタンをタッチする操作であってよい。
【００２３】
なお、前記制御部は、前記オンスクリーンキーボードに対して第２操作が入力されると、前記第２操作が入力された後に入力されるユーザの第３操作に従って、前記オンスクリーンキーボードの入力対象となるアプリケーションを選択してよい。
【００２４】
そして、前記第２操作は、前記オンスクリーンキーボードに含まれた手動接続ボタンをタッチする操作であってよい。
【００２５】
なお、前記第３操作は、前記オンスクリーンキーボードに含まれた特定アイコンを特定アプリケーションまでにドラッグ・アンド・ドロップする操作であり、前記制御部は、前記ドラッグ・アンド・ドロップが終了した地点に位置した前記特定アプリケーションをオンスクリーンキーボードの入力対象となるアプリケーションとして選択してよい。
【００２６】
そして、前記第３操作は、前記オンスクリーンキーボードの表示された領域と特定アプリケーションの表示された領域とを同時にタッチする操作であり、前記制御部は、前記同時にタッチされた特定アプリケーションをオンスクリーンキーボードの入力対象となるアプリケーションとして選択してよい。
【００２７】
なお、前記制御部は、前記選択されたアプリケーションの表示方向が前記オンスクリーンキーボードの表示方向と異なる場合、前記選択されたアプリケーションの表示方向が前記オンスクリーンキーボードの表示方向と一致するように、前記オンスクリーンキーボード又は前記選択されたアプリケーションの表示方向を変更してよい。
【００２８】
一方、本発明の一実施形態に係るＵＩ提供方法は、命令入力手段を画面に表示するステップと、複数個のアプリケーションを画面に表示するステップと、前記命令入力手段に対するユーザの操作に基づいて、前記複数個のアプリケーションの中から前記命令入力手段の入力対象となるアプリケーションを選択するステップとを含む。
【００２９】
一方、本発明の一実施形態に係るディスプレイ装置は、ユーザのタッチを入力され、命令入力手段及び複数個のアプリケーションを表示するタッチスクリーンと、前記タッチスクリーンを介して入力された前記命令入力手段に対するユーザの操作に基づいて、前記複数個のアプリケーションの中から前記命令入力手段の入力対象となるアプリケーションを選択する制御部とを含む。
【発明の効果】
【００３０】
本発明の多様な実施形態によると、オンスクリーンキーボードに対するユーザの操作に基づいて、複数個のアプリケーションの中からオンスクリーンキーボードの入力対象となるアプリケーションを選択するＵＩ提供方法及びそれを適用したディスプレイ装置を提供することができるようになり、ユーザは複数のアプリケーションが同時に表示された画面でオンスクリーンキーボードを簡単に使用できるようになる。
【００３１】
特に、入力対象となるアプリケーションとオンスクリーンキーボードとが互いに接続されていることが表示されるため、ユーザはどのアプリケーションとオンスクリーンキーボードとが接続されているか確認しやすくなる。
【図面の簡単な説明】
【００３２】
【図１】本発明の一実施形態に係る第１アプリケーション、第２アプリケーション及びオンスクリーンキーボードの表示された画面を示す図である。
【図２】本発明の一実施形態に係る第１アプリケーションとオンスクリーンキーボードとの接続可能な面を示す図である。
【図３】第１アプリケーションとオンスクリーンキーボードとが相互に接続できる３つの類型を示す図である。
【図４】第１アプリケーションとオンスクリーンキーボードとが相互に接続できる３つの類型を示す図である。
【図５】第１アプリケーションとオンスクリーンキーボードとが相互に接続できる３つの類型を示す図である。
【図６】本発明の一実施形態に係るユーザが自動接続ボタンをタッチする様子を示す図である。
【図７】本発明の一実施形態に係るディスプレイ装置が第２アプリケーションをオンスクリーンキーボードの入力対象として選択した結果画面を示す図である。
【図８】本発明の一実施形態に係るユーザが手動接続ボタンをタッチする様子を示す図である。
【図９】本発明の一実施形態に係るユーザが接続アイコンを第１アプリケーションの表示された領域へドラッグ・アンド・ドロップ（ｄｒａｇ  ＆  ｄｒｏｐ）する様子を示す図である。
【図１０】本発明の一実施形態に係るディスプレイ装置が、第１アプリケーションをオンスクリーンキーボードの入力対象として選択した結果画面を示す図である。
【図１１】本発明の一実施形態に係るユーザが第１アプリケーションの表示された領域とオンスクリーンキーボードの表示された領域とを同時にタッチする様子を示す図である。
【図１２】本発明の一実施形態に係る第１アプリケーションの表示方向とオンスクリーンキーボードの表示方向とが相違する場合、ユーザが自動接続ボタンをタッチする様子を示す図である。
【図１３】本発明の一実施形態に係る第１アプリケーションの表示方向とオンスクリーンキーボードの表示方向とが相違する場合、ディスプレイ装置が第１アプリケーションをオンスクリーンキーボードの入力対象として選択した結果画面を示す図である。
【図１４】本発明の一実施形態に係る第１アプリケーションの表示方向を反時計回りに９０度回転させた画面を示す図である。
【図１５】本発明の一実施形態に係るユーザが線形のインジケータをタッチする様子を示す図である。
【図１６】本発明の一実施形態に係るインジケータ上に終了ボタンの表示された画面を示す図である。
【図１７】本発明の一実施形態に係るユーザが終了ボタンをタッチする様子を示す図である。
【図１８】本発明の一実施形態に係る第１アプリケーションとオンスクリーンキーボードとの接続が終了した画面を示す図である。
【図１９】本発明の一実施形態に係る二人のユーザがテーブルトップを使用する場合について示す図である。
【図２０】本発明の一実施形態に係るＵＩ提供方法を説明するために提供されるフローチャートである。
【図２１】本発明が適用可能なディスプレイ装置のブロック図である。
【発明を実施するための形態】
【００３３】
以下に添付図面を参照しながら、本発明の好適な実施の形態について詳細に説明する。
図１は、本発明の一実施形態に係る第１アプリケーション１１０と、第２アプリケーション１２０及びオンスクリーンキーボード１５０の表示された画面を示す図である。
【００３４】
図１に示すように、ディスプレイ装置１００の画面に表示された第１アプリケーション１１０は、オンスクリーンキーボード１５０と接続されていることが確認できる。即ち、オンスクリーンキーボード１５０のテキスト入力対象は、第１アプリケーション１１０となる。
【００３５】
従って、ユーザが第１アプリケーション１１０のＵＲＬ入力欄１１３を選択した後に、オンスクリーンキーボード１５０に文字を入力すると、入力された文字が第１アプリケーション１１０のＵＲＬ入力欄１１３に入力される。このように、オンスクリーンキーボードを実現するために、ディスプレイ装置１００はタッチスクリーンを備える。
【００３６】
図１に示すように、オンスクリーンキーボード１５０は、文字入力キーボタン１５５と、手動接続ボタン１６０と、自動接続ボタン１７０と、終了ボタン１８０及び接続アイコン１９０を含む形態で画面に表示される。
【００３７】
文字入力キーボタン１５５は、文字を入力するためのボタンが表示される。文字入力キーボタン１５５は、ハードウェアキーボードの複数のキーボタンと同じ配列のキーボタンを含んでよく、それより簡素化したキーボタンを含んでよい。そして、ユーザは文字入力キーボタン１５５の表示された部分をタッチして所望の文字を入力することができる。
【００３８】
手動接続ボタン１６０は、オンスクリーンキーボード１５０の入力対象となるアプリケーションを手動で選択するように設定するボタンである。手動接続ボタン１６０がタッチされると、ディスプレイ装置１００はその後に入力されるユーザの操作に従って、オンスクリーンキーボード１５０の入力対象となるアプリケーションを選択するようになる。
【００３９】
具体的に、手動接続ボタン１６０がタッチされた後に、ユーザが接続アイコン１９０を第１アプリケーション１１０までにドラッグ・アンド・ドロップする操作が入力されると、ディスプレイ装置１００は第１アプリケーション１１０をオンスクリーンキーボード１５０の入力対象として選択する。そうすると、図１に示すように、オンスクリーンキーボード１５０の接続アイコン１９０と第１アプリケーション１１０の接続アイコン１１５とは線形のインジケータ１９５で相互に接続される。
【００４０】
別の実施形態として、ディスプレイ１００はデュアルタッチを用いて手動でオンスクリーンキーボード１５０とアプリケーションとを接続することもできる。具体的に、手動接続ボタン１６０がタッチされた後に、ユーザが第１アプリケーション１１０の表示された領域をタッチした状態で、オンスクリーンキーボード１５０の表示された領域をタッチすると、ディスプレイ装置１００はオンスクリーンキーボード１５０の第１アプリケーション１１０を入力対象として選択する。
【００４１】
上述の２つの方法の他にも、オンスクリーンキーボード１５０とアプリケーションを手動で接続するユーザの操作は、多様な形態で行なわれてよい。
【００４２】
自動接続ボタン１７０は、オンスクリーンキーボード１５０をアプリケーションと自動的に接続するための命令を入力されるボタンである。ユーザが自動接続ボタン１７０をタッチする操作が入力されると、ディスプレイ装置１００はオンスクリーンキーボード１５０から最も近い位置に表示されたアプリケーションをオンスクリーンキーボード１５０の入力対象となるアプリケーションとして選択するようになる。
【００４３】
終了ボタン１８０は、オンスクリーンキーボード１５０の使用を終了する命令を入力されるためのボタンである。
【００４４】
接続アイコン１９０は、アプリケーションと線形のインジケータ１９５とを介して接続される接続地点の役割を果たす。なお、接続アイコン１９０は手動接続の際、ドラッグ・アンド・ドロップ操作の対象となって、オンスクリーンキーボード１５０と接続されるアプリケーションを選択するための接続媒介の役割を担う。
【００４５】
線形のインジケータ１９５は、入力対象となるアプリケーションとオンスクリーンキーボード１５０とを相互に接続させる。従って、線形のインジケータ１９５はオンスクリーンキーボード１５０がどのアプリケーションを入力対象として選択したかを視覚的に確認させる役割をする。図１では、線形のインジケータ１９５が第１アプリケーション１１０の接続アイコン１１５とオンスクリーンキーボード１５０との接続アイコン１９０を接続しているため、第１アプリケーション１１０がオンスクリーンキーボード１５０の接続対象として選択されたことを確認することができる。
【００４６】
なお、インジケータ１９５は線形であるとして説明したが、その他にも、オンスクリーンキーボード１５０がどのアプリケーションに接続されているかを視覚的に確認させるものなら、如何なる形態であっても構わない。
【００４７】
なお、インジケータ１９５をタッチする操作が入力されると、ディスプレイ装置１００は第１アプリケーション１１０とオンスクリーンキーボード１５０との接続状態を終了する命令を入力されるための終了ボタンを表示することもできる。
【００４８】
このように、オンスクリーンキーボード１５０の自動接続及び手動接続を用いて、ユーザは複数個のアプリケーションのうち入力の対象となるアプリケーションを容易に選択できるようになる。
【００４９】
以下では、図２ないし図５を参考にして、アプリケーションとオンスクリーンキーボード１５０とが接続される類型について説明する。図２は、本発明の一実施形態に係る第１アプリケーション１１０とオンスクリーンキーボード１５０との接続可能な面を示す図である。
【００５０】
図２に示すように、第１アプリケーション１１０は左面１１６と、下面１１７及び右面１１８がオンスクリーンキーボード１５０と接続されることができる。そして、オンスクリーンキーボード１５０は、右面１５６と、上面１５７及び左面１５８が第１アプリケーション１１０と接続されることができる。
【００５１】
図３ないし図５は、第１アプリケーション１１０とオンスクリーンキーボード１５０とが相互に接続できる３つの類型を示す図である。
【００５２】
図３に示すように、第１アプリケーション１１０の下面１１７は、オンスクリーンキーボード１５０の上面１５７と接続される。そして、図４に示すように、第１アプリケーション１１０の右面１１８は、オンスクリーンキーボード１５０の左面１５８と接続される。なお、図５に示すように、第１アプリケーション１１０の左面１１６は、オンスクリーンキーボード１５０の右面１５６と接続される。
【００５３】
一方で、第１アプリケーション１１０の上面とオンスクリーンキーボード１５０の下面とは相互に接続できない。第１アプリケーション１１０の上面とオンスクリーンキーボード１５０の下面とが接続されると、ユーザがオンスクリーンキーボード１５０を使用する際、第１アプリケーション１１０がユーザの腕によって塞がるため実用性がないためである。
【００５４】
従って、オンスクリーンキーボード１５０は、図３ないし図５に示すように３つの類型で接続されることができる。
【００５５】
以下では、図６ないし図１８を参考にオンスクリーンキーボード１５０をアプリケーションに接続開始及び終了する過程を説明する。まず、図６及び図７を参考に、アプリケーションとオンスクリーンキーボード１５０とが自動接続される過程について説明する。
【００５６】
図６は、本発明の一実施形態に係るユーザが自動接続ボタン１７０をタッチする様子を示す図である。図６に示すように、ユーザが自動接続ボタン１７０をタッチすると、ディスプレイ装置１００はオンスクリーンキーボード１５０から最も近い位置に表示されたアプリケーションをオンスクリーンキーボード１５０の入力対象となるアプリケーションとして選択するようになる。図６では、第１アプリケーション１１０より第２アプリケーション１２０のほうが、オンスクリーンキーボード１５０に近いため、ディスプレイ装置１００は第２アプリケーション１２０をオンスクリーンキーボード１５０の入力対象として選択する。
【００５７】
図７は、本発明の一実施形態に係るディスプレイ装置１００が第２アプリケーション１２０をオンスクリーンキーボード１５０の入力対象として選択した結果画面を示す図である。図７に示すように、ディスプレイ装置１００は第２アプリケーション１２０の接続アイコン１２５とオンスクリーンキーボード１５０の接続アイコン１９０とを線形のインジケータ１９５で接続したことを確認することができる。これは、第２アプリケーション１２０がオンスクリーンキーボード１５０の入力対象であることを視覚的に確認させるためである。
【００５８】
このように、ユーザは自動接続ボタン１７０をタッチして、オンスクリーンキーボード１５０の入力対象となるアプリケーションを容易に選択できるようになる。
【００５９】
以下では、図８ないし図１１を参考に、アプリケーションとオンスクリーンキーボード１５０とが手動接続される過程について説明する。
【００６０】
図８は、本発明の一実施形態に係るユーザが手動接続ボタン１６０をタッチする様子を示す図である。図８に示すように、ユーザが手動接続ボタン１６０をタッチすると、ディスプレイ装置１００はその後に入力されるユーザの操作に従って、オンスクリーンキーボード１５０の入力対象となるアプリケーションを選択するようになる。
【００６１】
図９は、本発明の一実施形態に係るユーザが接続アイコン１９０を第１アプリケーション１１０の表示された領域へドラッグ・アンド・ドロップ（ｄｒａｇ  ＆  ｄｒｏｐ）する様子を示す図である。図９に示すように、手動接続ボタン１６０がタッチされた後に、ユーザが接続アイコン１９０を第１アプリケーション１１０までドラッグ・アンド・ドロップすると、ディスプレイ装置１００は第１アプリケーション１１０をオンスクリーンキーボード１５０の入力対象として選択する。
【００６２】
図１０は、本発明の一実施形態に係るディスプレイ装置１００が第１アプリケーション１１０をオンスクリーンキーボード１５０の入力対象として選択した結果画面を示す図である。図１０に示すように、ディスプレイ装置１００は第１アプリケーション１１０の接続アイコン１１５とオンスクリーンキーボード１５０の接続アイコン１９０とを線形のインジケータ１９５で接続したことを確認することができる。これは、第１アプリケーション１１０がオンスクリーンキーボード１５０の入力対象であることを視覚的に確認させるためである。
【００６３】
一方、ディスプレイ１００はデュアルタッチを用いて手動でオンスクリーンキーボード１５０とアプリケーションとを接続することもできる。図１１は、本発明の別の実施形態に係るユーザが第１アプリケーション１１０の表示された領域とオンスクリーンキーボード１５０の表示された領域とを同時にタッチする様子を示す図である。
【００６４】
図１１に示すように、手動接続ボタン１６０がタッチされた後に、ユーザが第１アプリケーション１１０の表示された領域とオンスクリーンキーボード１５０の表示された領域とを同時にタッチすると、ディスプレイ装置１００はオンスクリーンキーボード１５０の第１アプリケーション１１０を入力対象として選択する。そうすると、図１０のように、ディスプレイ装置１００は、第１アプリケーション１１０の接続アイコン１１５とオンスクリーンキーボード１５０の接続アイコン１９０とを線形のインジケータ１９５で接続するようになる。
【００６５】
上述のように、ユーザは手動接続ボタン１６０をタッチした後に、特定類型の操作を入力して、所望のアプリケーションをオンスクリーンキーボード１５０の入力対象として選択することができるようになる。
【００６６】
以下では、図１２ないし図１４を参考に、アプリケーションの表示方向とオンスクリーンキーボード１５０の表示方向とが相違する場合、アプリケーションの表示方向を変更する過程について説明する。
【００６７】
図１２は、本発明の一実施形態に係る第１アプリケーション１１０の表示方向とオンスクリーンキーボード１５０の表示方向とが相違する場合、ユーザが自動接続ボタン１７０をタッチする様子を示す図である。
【００６８】
図１２に示すように、第１アプリケーション１１０は下面が画面の左側を向くように表示されており、オンスクリーンキーボード１５０は下面が画面の下側を向くように表示されている。そして、ユーザが自動接続ボタン１７０をタッチすると、ディスプレイ装置１００は第１アプリケーション１１０をオンスクリーンキーボード１５０の入力対象として選択する。
【００６９】
図１３は、本発明の一実施形態に係る第１アプリケーション１１０の表示方向とオンスクリーンキーボード１５０の表示方向とが相違する場合、ディスプレイ装置１００が第１アプリケーション１１０をオンスクリーンキーボード１５０の入力対象として選択した結果画面を示す図である。
【００７０】
図１３に示すように、ディスプレイ装置１００は第１アプリケーション１１０の接続アイコン１１５とオンスクリーンキーボード１５０の接続アイコン１９０とを線形のインジケータ１９５で接続したことを確認することができる。
【００７１】
しかし、図１３に示すように、第１アプリケーション１１０の表示方向とオンスクリーンキーボード１５０の表示方向とが相互に一致しないため、ユーザがオンスクリーンキーボード１５０を使用しながら第１アプリケーション１１０の画面を確認しにくいという問題がある。従って、ディスプレイ装置１００は第１アプリケーション１１０の表示方向がオンスクリーンキーボード１５０の表示方向と一致するように、第１アプリケーション１１０の表示方向を変更する。
【００７２】
図１４は、本発明の一実施形態に係る第１アプリケーション１１０の表示方向を反時計回りに９０度回転させた画面を示す図である。図１４に示すように、第１アプリケーション１１０の表示方向を反時計回りに９０度回転させると、第１アプリケーション１１０の表示方向とオンスクリーンキーボード１５０の表示方向とが一致される。
【００７３】
一方、本実施形態では、ディスプレイ装置１００がアプリケーションを回転させるものとして説明したが、オンスクリーンキーボードを回転させることができることはいうまでもない。即ち、ディスプレイ装置１００は、第１アプリケーション１１０の表示方向がオンスクリーンキーボード１５０の表示方向と一致するように、オンスクリーンキーボード１５０又は第１アプリケーション１１０の表示方向を変更するようになる。
【００７４】
これにより、ユーザはより便利に第１アプリケーション１１０に文字を入力するために、オンスクリーンキーボード１５０を利用できるようになる。
【００７５】
以下では、図１５ないし図１８を参考に、アプリケーションとオンスクリーンキーボード１５０との接続を終了させる過程について説明する。
【００７６】
図１５は、本発明の一実施形態に係るユーザが線形のインジケータ１９５をタッチする様子を示す図である。図１６は、本発明の一実施形態に係るインジケータ１９５上に終了ボタン６００の表示された画面を示す図である。
【００７７】
図１５に示すように、ユーザが線形のインジケータ１９５をタッチすると、ディスプレイ装置１００はインジケータ１９５上に終了ボタン６００を表示するための命令として認識する。従って、図１６に示すように、ディスプレイ装置１００はインジケータ１９５上に終了ボタン６００を表示する。
【００７８】
図１７は、本発明の一実施形態に係るユーザが終了ボタン６００をタッチする様子を示す図である。そして、図１８は、本発明の一実施形態に係る第１アプリケーション１１０とオンスクリーンキーボード１５０との接続が終了した画面を示す図である。
【００７９】
図１７に示すように、ユーザが終了ボタン６００をタッチすると、ディスプレイ装置１００は第１アプリケーション１１０とオンスクリーンキーボード１５０との接続を終了する。従って、図１８のように、ディスプレイ装置１００は第１アプリケーション１１０とオンスクリーンキーボード１５０とを接続していたインジケータ１９５を画面から除去するようになる。
【００８０】
このような過程を通じて、ユーザは第１アプリケーション１１０とオンスクリーンキーボード１５０との接続を終了することができる。
【００８１】
以下では、図１９を参考に多数のユーザが複数個のアプリケーション及び複数個のオンスクリーンキーボードを使用する場合について説明する。図１９は、本発明の一実施形態に係る二人のユーザがテーブルトップ７００を使用する場合について示す図である。
【００８２】
図１９に示すように、ユーザＡとユーザＢとが、第１オンスクリーンキーボード７１０、第２オンスクリーンキーボード７１５、第３アプリケーション７２０、第４アプリケーション７２５及び第５アプリケーション７２７を画面に表示した状態でテーブルトップ７００を利用している。
【００８３】
図１９で確認できるように、ユーザＡは第１オンスクリーンキーボード７１０を第３アプリケーション７２０と接続して使用しており、ユーザＢは第２オンスクリーンキーボード７１５を第４アプリケーション７２５に接続して使用していることが確認できる。
【００８４】
このように、ユーザは複数のアプリケーションの中からオンスクリーンキーボードの入力対象を容易に選択することができ、選択されたアプリケーションを直観的に確認できるようになる。なお、複数のユーザが複数のオンスクリーンキーボードをそれぞれ利用できるようにもなる。
【００８５】
一方、本実施形態では、ディスプレイ装置がテーブルトップ７００であるとして説明したが、その他にタッチスクリーンの装着されたディスプレイ装置なら如何なるものであっても適用できることはいうまでもない。例えば、ディスプレイ装置はスマートボード、テレビ、タブレットなどであってよい。
【００８６】
これまで、図１ないし図１９を参考に、複数のアプリケーションの中からオンスクリーンキーボードの入力対象を選択するＵＩ提供方法について説明してきた。以下では、これまで説明したＵＩ提供方法について図２０を参考に詳細に説明する。図２０は、本発明の一実施形態に係るＵＩ提供方法を説明するために提供されるフローチャートである。
【００８７】
まず、ディスプレイ装置１００は複数個のアプリケーションを画面に表示する（Ｓ８１０）。そして、オンスクリーンキーボードを画面に表示する（Ｓ８２０）。
【００８８】
その後、ユーザがオンスクリーンキーボードに含まれた自動接続ボタンをタッチすると（Ｓ８３０−Ｙ）、ディスプレイ装置１００は最も近接した位置のアプリケーションをオンスクリーンキーボードの入力対象として選択する（Ｓ８３５）。そして、ディスプレイ装置１００は選択されたアプリケーションとオンスクリーンキーボードとを接続する線形のインジケータを表示するようになる（Ｓ８５０）。自動接続と関連したＳ８３０、Ｓ８３５及びＳ８５０のステップに関しては、図６及び図７を参考に説明している。
【００８９】
一方、ユーザが手動接続ボタンをタッチした場合（Ｓ８４０−Ｙ）、ディスプレイ装置１００はその後に入力されるユーザの操作に従って、オンスクリーンキーボード１５０の入力対象となるアプリケーションを選択するようになる。従って、その後に、ディスプレイ装置１００はユーザから接続アイコンをドラッグ・アンド・ドロップする操作を入力される（Ｓ８４３）。そして、ディスプレイ装置１００は接続アイコンがドラッグ・アンド・ドロップされた位置のアプリケーションをオンスクリーンキーボードの入力対象として選択するようになる（Ｓ８４６）。そして、ディスプレイ装置１００は選択されたアプリケーションとオンスクリーンキーボードとを接続する線形のインジケータを表示する（Ｓ８５０）。このような、手動接続過程に関するＳ８４０、Ｓ８４３、Ｓ８４６のステップに関しては、図８ないし図１０を参考に説明している。なお、図１１に示すように、ディスプレイ装置１００はデュアルタッチ方式を用いて特定アプリケーションをオンスクリーンキーボードの入力対象として選択する手動接続方式が適用されてよい。
【００９０】
上述のように、ディスプレイ装置１００は複数のアプリケーション中のオンスクリーンキーボードの入力対象となるアプリケーションを選択するためのＵＩ提供方法を提供できるようになる。
【００９１】
一方、図２１は本発明が適用可能なディスプレイ装置のブロック図を示す。図２１に示すように、ディスプレイ装置は、タッチスクリーン９１０、機能ブロック９２０及び制御部９３０を備える。
【００９２】
タッチスクリーン９１０はユーザのタッチを入力されて、オンスクリーンキーボード及び複数個のアプリケーションを表示する。例えば、図１に示すように、タッチスクリーン９１０は画面に多数のアプリケーションとオンスクリーンキーボードをともに表示する。
【００９３】
機能ブロック８２０はディスプレイ装置１００本来の機能をもつ。もし、ディスプレイ装置１００がテーブルトップである場合、機能ブロック８１０はテーブルトップとして機能し、ディスプレイ装置１００がスマートボードである場合、機能ブロック８１０はデジタル会議に必要なスマートボードとして機能する。
【００９４】
制御部９３０は、上述の図２０に示すフローチャートのステップを行なうことで、タッチスクリーンを介して入力されたオンスクリーンキーボードに対するユーザの操作に基づいて、複数個のアプリケーションの中からオンスクリーンキーボードの入力対象となるアプリケーションを選択する。その他にも、制御部９３０は図１ないし図１９を参考に説明したディスプレイ装置１００の機能を実現する。
【００９５】
一方、本実施形態では、ディスプレイ装置１００がオンスクリーンキーボードの入力対象を選択及び接続するものとして説明したが、オンスクリーンキーボードの他にもタッチスクリーン上に表示される命令入力手段なら如何なるものでも適用可能である。例えば、オンスクリーンキーボードの他にも別の種類の命令入力手段としてタッチホイール、タッチ方向入力手段、タッチ数字キーパッドなどが適用されてよい。
【００９６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９７】
１００  ディスプレイ装置
１１０  第１アプリケーション
１１３  ＵＲＬ入力欄
１１５  接続アイコン
１２０  第２アプリケーション
１５０  オンスクリーンキーボード
１５５  文字入力キーボタン
１６０  手動接続ボタン
１７０  自動接続ボタン
１８０  終了ボタン
１９０  接続アイコン
１９５  線形のインジケータ
【図１】
0005681174.tif 000002
【図２】
0005681174.tif 000003
【図３】
0005681174.tif 000004
【図４】
0005681174.tif 000005
【図５】
0005681174.tif 000006
【図６】
0005681174.tif 000007
【図７】
0005681174.tif 000008
【図８】
0005681174.tif 000009
【図９】
0005681174.tif 000010
【図１０】
0005681174.tif 000011
【図１１】
0005681174.tif 000012
【図１２】
0005681174.tif 000013
【図１３】
0005681174.tif 000014
【図１４】
0005681174.tif 000015
【図１５】
0005681174.tif 000016
【図１６】
0005681174.tif 000017
【図１７】
0005681174.tif 000018
【図１８】
0005681174.tif 000019
【図１９】
0005681174.tif 000020
【図２０】
0005681174.tif 000021
【図２１】
0005681174.tif 000022